(57)【要約】【課題】  床化粧材が受ける風の影響を最小限に抑えて床化粧材が捲れ上がるのを防ぎ、安全性および意匠性の高い優れた床化粧材を提供する。【解決手段】  床化粧材１の床化粧材本体１１には、嵩比重の高い重量物１３が裏面に添設されている。重量物１３は、金属製ブロック体または金属と合成樹脂成形品とを一体化したブロック体からなり、床化粧材本体１１の裏面に設けられた複数本の脚部１２を嵌挿しうる取付穴１４を備えている。そして、この取付穴１４に脚部１２を嵌挿させて重量物１３が添設されている。【選択図】  図１
2008190313.tif 000002
【特許請求の範囲】
【請求項１】
ベランダやバルコニー、屋上等の床面に複数枚の床化粧材本体を敷きつめて床を構成する床化粧材において、前記床化粧材本体には、嵩比重の高い重量物が添設されていることを特徴とする床化粧材。
【請求項２】
前記重量物は、少なくとも、構成された床の周縁部に配置されている床化粧材本体の裏面側に添設されていることを特徴とする請求項１に記載の床化粧材。
【請求項３】
前記重量物は、無機質系材料からなるブロック体、または無機質系材料からなる充填材をセメント、石膏あるいは合成樹脂に練り混ぜて硬化させた複合成形体であることを特徴とする請求項１または２に記載の床化粧材。
【請求項４】
床化粧材本体の裏面には複数本の脚部が設けられるとともに、前記重量物は床化粧材本体の脚部に嵌挿可能な取付穴を備えており、この取付穴に脚部を嵌挿させて床化粧材本体に重量物が添設されていることを特徴とする請求項１〜３のいずれかに記載の床化粧材。
【請求項５】
床化粧材本体の裏面には嵌入穴が形成されるとともに、前記重量物の天面には取付凸部が設けられており、前記嵌入穴に取付凸部を嵌挿させて床化粧材本体に重量物が添設されていることを特徴とする請求項１〜３のいずれかに記載の床化粧材。
【請求項６】
前記重量物の取付凸部は、床化粧材本体の嵌入穴に係止しうる係止片が先端部に形成されていることを特徴とする請求項５に記載の床化粧材。
【請求項７】
前記重量物は、無機質系材料からなるブロック体あるいは充填材が、セメント、石膏または接着剤を用いて床化粧材本体の裏面に固着されて形成されていることを特徴とする請求項１または２に記載の床化粧材。
【請求項８】
前記重量物は、少なくとも、構成された床の周縁部に配置されている床化粧材本体の側面部に添設されていることを特徴とする請求項１に記載の床化粧材。
【請求項９】
床化粧材本体の側面部にはカバー部材が装着され、このカバー部材は床化粧材本体の側面部に装着される装着部と、装着部に沿って形成された収納部とを備えており、前記重量物は、前記カバー部材の収納部に内装されていることを特徴とする請求項８に記載の床化粧材。
【請求項１０】
前記重量物は、無機質系材料からなるブロック体、無機質系材料からなる充填材をセメント、石膏あるいは合成樹脂に練り混ぜて硬化させた複合成形体であることを特徴とする請求項８または９に記載の床化粧材。
【請求項１１】
前記重量物は、砂、砂利、金属片、あるいは金属粉、またはこれらの混成物であることを特徴とする請求項８または９に記載の床化粧材。
【請求項１２】
前記重量物は、砂、砂利、金属片、あるいは金属粉、またはこれらの混成物がパッキングされて前記カバー部材の収納部に収納可能とされた袋体であることを特徴とする請求項８または９に記載の床化粧材。
【請求項１３】
前記カバー部材は、装着部に床化粧材本体の下部に敷設可能な下敷部が延設されていることを特徴とする請求項９〜１２のいずれかに記載の床化粧材。
【請求項１４】
前記カバー部材は、装着部に庇部と下敷部とを備え、下敷部は庇部よりも前方へ延出して床化粧材の下部に敷設可能であることを特徴とする請求項９〜１３のいずれかに記載の床化粧材。
【請求項１５】
前記下敷部は、複数枚の床化粧材本体にわたって、その下部に敷設されうる平板状に形成されていることを特徴とする請求項１３または１４に記載の床化粧材。
【請求項１６】
前記下敷部は、棒状、溝形状、または帯板状に形成されて、床化粧材本体の裏面に設けられた複数本の脚部の間に保持可能とされていることを特徴とする請求項１３または１４に記載の床化粧材。
【請求項１７】
前記下敷部には、当該下敷部の延設方向と直交する方向に延びる係止部が設けられていることを特徴とする請求項１６に記載の床化粧材。
【請求項１８】
前記下敷部は、棒状、溝形状、または帯板状に形成されて、床化粧材本体の裏面に設けられた複数本の脚部を保持可能な複数の固定部が設けられていることを特徴とする請求項１３または１４に記載の床化粧材。
【請求項１９】
前記カバー部材は、収納部の天面側が開口して形成され、収納部の天面側を被覆する蓋部材を備えていることを特徴とする請求項９〜１８のいずれかに記載の床化粧材。
【発明の詳細な説明】
【技術分野】
【０００１】
本発明は、ベランダやバルコニー、屋上等の床面に敷設して使用する床化粧材に関する。
【背景技術】
【０００２】
ベランダやバルコニー、屋上等に床材を敷設してデッキを形成する技術には、従来、係止溝を備えた固定基板を根太上に複数個ねじ止めするとともに、バルコニー等の寸法に合わせて切断した長尺のデッキ材の裏面側の突条を固定基板の係止溝に圧入嵌合するなどの構造が提案されていた。
【０００３】
これに対し、近年では、例えば特許文献１に記載されているように、コンクリート等のスラブ上に床材を敷設して床面を覆う構成の床材として、硬質合成樹脂を矩形状に成形した部材で、裏面側とスラブ面との間に排水空間を形成するための複数本の脚が一体形成されてなる床材があり、上面に樹脂またはタイル等の表面材を係止接着固定または一体成形した構造のユニット式床化粧材も実用化されている。
【０００４】
このようなユニット式床化粧材は、バルコニーやベランダ等の屋外に敷設した場合、床化粧材の下面側に風が吹き込むと、床化粧材の全体が捲れ上がってしまうことがあった。そこで、このような捲れ上がりを解消するために、例えば特許文献２に記載されているように、タイルユニットを敷設して床面を形成する際に、その床面周囲の少なくとも一部に透水性開口を有する樹脂製フロアマットを敷設して風の影響を軽減するという、タイルユニットの敷設構造も提案されている。
【特許文献１】実開平５−８５９２９号公報
【特許文献２】特開平７−１０１９１号公報
【発明の開示】
【発明が解決しようとする課題】
【０００５】
前記従来の床材の敷設構造は、立ち上がり壁で囲われたバルコニー等の床面に、表面材がタイル等の比較的重い床化粧材を敷設する場合に、ある程度有効である。しかし、立ち上がり壁ではなく、手すりだけが設けられたバルコニーに、このような床化粧材を敷設した場合には、手すりを通り抜けた風が床化粧材の下面側に入り込んで床化粧材の全体が捲れ上がる、吹き上がり現象を起こしてしまうおそれがあった。また、このような問題は、高さのないパラペットのある屋上などに床化粧材を敷設する場合にも発生する可能性があった。
【０００６】
また、かかる床化粧材の敷設作業にあたっては、専門の施工業者が作業をする場合もあるが、住宅等の小規模の建物においては専門の施工業者ではなく個人で敷設作業をする場合も考えられるため、その施工性のよさや、メンテナンスや掃除の際の床化粧材の取り外し作業のしやすさ等も配慮する必要があった。
【０００７】
そこで本発明は、上記のような問題点にかんがみてなされたものであり、バルコニーやベランダ等の床面をユニット式の床化粧材を敷設して形成するにあたり、その床材が受ける風の影響を最小限に抑えて床材が捲れ上がるのを防ぎ、安全性および意匠性の高い優れた床化粧材を提供することを目的としている。
【課題を解決するための手段】
【０００８】
前記の課題を達成するため、本発明は、ベランダやバルコニー、屋上等の床面に複数枚の床化粧材本体を敷きつめて床を構成する床化粧材において、前記床化粧材本体には、嵩比重の高い重量物が添設されていることを特徴とする。
【０００９】
ここで、前記重量物は、少なくとも、構成された床の周縁部に配置されている床化粧材本体の裏面側に添設されていることが好ましい。
【００１０】
また、前記重量物は、無機質系材料からなるブロック体、または無機質系材料からなる充填材をセメント、石膏あるいは合成樹脂に練り混ぜて硬化させた複合成形体であることが好ましい。
【００１１】
また、本発明において、床化粧材本体の裏面には複数本の脚部が設けられるとともに、前記重量物は床化粧材本体の脚部に嵌挿可能な取付穴を備えており、この取付穴に脚部を嵌挿させて床化粧材本体に重量物が添設されていることが好ましい。
【００１２】
また、床化粧材本体の裏面には嵌入穴が形成されるとともに、前記重量物の天面には取付凸部が設けられており、前記嵌入穴に取付凸部を嵌挿させて床化粧材本体に重量物が添設されていることが望ましい。
【００１３】
この場合、重量物の取付凸部は、床化粧材本体の嵌入穴に係止しうる係止片が先端部に形成されていることが好ましい。
【００１４】
また、前記重量物は、無機質系材料からなるブロック体あるいは充填材が、施工現場などにおいて、セメント、石膏または接着剤を用いて床化粧材本体の裏面に固着されて形成されるものであってもよい。
【００１５】
ここで、前記重量物は、少なくとも、構成された床の周縁部に配置されている床化粧材本体の側面部に添設されていることが好ましい。
【００１６】
かかる特徴的構成を有する床化粧材によって、床化粧材が受ける風の影響を最小限に抑えて、吹き上がり現象を防止することが可能になる。
【００１７】
また、本発明は、床化粧材本体の側面部にはカバー部材が装着され、このカバー部材は床化粧材本体の側面部に装着される装着部と、装着部に沿って形成された収納部とを備えており、前記重量物は、前記カバー部材の収納部に内装されていることを特徴とする。
【００１８】
また、前記重量物は、無機質系材料からなるブロック体、無機質系材料からなる充填材をセメント、石膏あるいは合成樹脂に練り混ぜて硬化させた複合成形体であることが好ましい。
【００１９】
また、前記重量物は、砂、砂利、金属片、あるいは金属粉、またはこれらの混成物であってもよく、あるいは砂、砂利、金属片、あるいは金属粉、またはこれらの混成物がパッキングされて前記カバー部材の収納部に収納可能とされた袋体であってもよい。
【００２０】
また、前記カバー部材は、装着部に床化粧材本体の下部に敷設可能な下敷部が延設されている。この下敷部の形状は特に限定しないが、その延設方向に少なくとも２枚の床化粧材本体を配設しうる大きさで形成されていることが好ましい。
【００２１】
あるいは、前記カバー部材は、装着部に庇部と下敷部とを備え、下敷部は庇部よりも前方へ延出して床化粧材の下部に敷設可能であってもよい。
【００２２】
また、前記下敷部は、複数枚の床化粧材本体にわたって、その下部に敷設されうる平板状に形成されてもよい。
【００２３】
また、前記下敷部は、棒状、溝形状、または帯板状に形成されて、床化粧材本体の裏面に設けられた複数本の脚部の間に保持可能とされてもよい。
【００２４】
さらに、前記下敷部には、その延設方向と直交する方向に延びる係止部が設けられていてもよい。
【００２５】
あるいはまた、前記下敷部は、棒状、溝形状、または帯板状に形成されて、床化粧材本体の裏面に設けられた複数本の脚部を保持可能な複数の固定部が設けられてもよい。
【００２６】
さらに、前記カバー部材は、収納部の天面側が開口して形成され、収納部の天面側を被覆する蓋部材を備えていることが好ましい。
【００２７】
かかる特徴的構成を有する床化粧材によって、床化粧材本体の形状にかかわらず、重量物を容易に装着し、また取り外すことが可能であり、良好な施工性のもと、床化粧材を敷設した床面を安定的に保持して、風による吹き上がり現象を抑えることが可能になる。
【発明の効果】
【００２８】
上述のように構成される本発明の床化粧材によれば、嵩比重が高く取り扱いを容易に行うことのできる重量物を簡単な作業で床化粧材本体に添設することができ、またその取り外しも容易に行うことができる。これにより、床化粧材を敷設することによって形成した床面を、風の影響を最小限に抑えて、床化粧材が捲れ上がるのを防ぎ、床化粧材を安定的に保持しつつ、安全性および意匠性に優れたものに形成することができる。
【発明を実施するための最良の形態】
【００２９】
以下、本発明に係る床化粧材を実施するための最良の形態について説明する。
【００３０】
本発明において、床化粧材は住宅のベランダやバルコニー、テラスなどの屋外に設けられる床面や、屋上スラブなどの床材として複数枚を敷設して使用可能な床化粧材である。この床化粧材には嵩比重の高い重量物が備えられて、床化粧材の重量を増すことにより、風の影響からの吹き上がり現象を防止するように構成されている。重量物の添設のされ方には、多数のバリエーションがあるが、そのうちのいくつかについて以下の実施例で示す。
【実施例１】
【００３１】
本発明に係る床化粧材の実施例１について図面を参照しつつ説明する。図１〜図４は本発明の床化粧材の実施例１を示し、図１は床化粧材の斜視図、図２は床化粧材本体に重量物を添設した状態を示す斜視図、図３は図１の床化粧材の変形例を示す斜視図、図４は図３における床化粧材本体に重量物を添設した状態を示す斜視図である。
【００３２】
床化粧材１は、合成樹脂製の床材基材（３０ｃｍ角）の上面に樹脂製の表面材（約１０ｃｍ角）を一体に成形した部材で形成される床化粧材本体１１を有し、この床化粧材本体１１の裏面側には、複数本の脚部１２が一体的に備えられている。また、床化粧材本体１１は、合成樹脂製の床材基材（３０ｃｍ角）の上面に木質、レンガ、磁器タイル等の表面材を接着したものでもよい。そして、複数枚の床化粧材１が各辺の端縁部に設けられた雌雄連結部で連結されて敷設され、床を構成するようになっている。
【００３３】
床化粧材１の床化粧材本体１１には、床化粧材１が風の影響による吹き上がるのを防止するため、嵩比重の高い重量物１３が裏面に添設される。この形態の重量物１３は、１枚の床化粧材本体１１に対して１個が添設され、それぞれブロック体となっている。
【００３４】
例示の重量物１３は、無機質系材料からなるブロック体（無機質ブロック体）、あるいは無機質系材料からなる充填材（無機質充填材）をセメントや石膏または合成樹脂に練り混ぜて固めた複合成形体で構成されている。
【００３５】
より具体的には、無機質系材料としては、鉄、アルミニウム、銅、鉛などの金属あるいはその酸化物や、石膏、または粘土等を含むことが好ましい。また、無機質充填材としては、前記の金属またはその酸化物や、砂、ガラス等であることが好ましく、かかる充填材をセメントや石膏または熱硬化性樹脂等の合成樹脂で成形して複合成形体を形成することが好ましい。また、無機質充填材の形状は粒状や棒状などいかなる形状でもかまわない。
【００３６】
重量物１３の嵩比重は、概ね１．５ｇ／ｃｍ3以上で、重ければ重いほど風飛び防止および吹き上がり現象防止効果を大きくすることができる。また、重量物１３を添設する面積や、現実的に実用可能な材料を勘案すると、重量物１３の嵩比重は、１．７ｇ／ｃｍ3〜１２．０ｇ／ｃｍ3の範囲であることがより好ましい。
【００３７】
また、重量物の重量は５００ｇ以上／３０ｃｍ角であることが好ましく、施工性や耐風圧性能を考えると、７５０ｇ〜２０００ｇ／３０ｃｍ角の範囲であることがより好ましい。
【００３８】
図示するように、無機質ブロック体または複合成形体からなる重量物１３には、床化粧材本体１１の脚部１２の配置に対応するように配置された取付穴１４が設けられている。
【００３９】
例示の形態では、脚部１２が円柱形状に形成されているので、これに対応する取付穴１４も円柱状の貫通穴として形成されている。また、１個の重量物１３に取付穴１４が１４個形成されており、床化粧材本体１１の１４本の脚部１２がそれぞれ嵌挿させることができるようになっている。そして、図２に示すように、脚部１２を取付穴１４に嵌挿して、床化粧材本体１１に重量物１３を添設することにより、床化粧材１が構成されている。
【００４０】
また、図３，４に示すように、重量物１３の底面側に溝１３ａが形成されていてもよい。このように重量物１３に溝１３ａが形成されていることにより、床化粧材本体１１の下部空間に流入した雨水等の水を排水することが容易になる。
【００４１】
また、重量物１３は、複数枚の床化粧材１が敷き詰められた床面の少なくとも周縁部に配置される床化粧材本体１１に対して添設されることが好ましい。これにより、周縁部から床化粧材本体１１の下部空間に吹き込まれる風の影響を、重量物１３によって抑えることができ、より重量の軽い重量物でも吹き上がり現象を防止することが可能になる。
【００４２】
また、かかる床化粧材１は施工性も良好である。すなわち、床化粧材本体１１は、比較的軽量であり、重量物１３は現場にて必要箇所に添設すればよいので、搬入および敷設作業も容易に行うことができるものである。これに加えて、重量物１３を脚部１２に嵌挿させた床化粧材１を配設する範囲は、広範囲とするほど吹き上がり現象を防止する効果を高めることができる。
【実施例２】
【００４３】
次に、本発明に係る床化粧材の実施例２について図面を参照しつつ説明する。図５は本発明の実施例２に係る床化粧材を示す斜視図、図６は図５の床化粧材の変形例を示す斜視図である。
【００４４】
なお、以下に説明する実施例２，３の形態に係る床化粧材１は、床化粧材本体１１の構成が前記実施例１とほぼ同様であり、重量物１３の取付構造が相違しているものであるので、重量物１３の構成について詳細に説明し、他の部分については上記実施例１と共通の符号を用いて説明を省略する。
【００４５】
この形態の床化粧材１は、床化粧材本体１１の裏面に嵌入穴１５が形成されており、重量物１３の天面に設けられた取付凸部１３１が、裏面の嵌入穴１５に嵌挿されることで、床化粧材本体１１に重量物１３が添設された構成となっている。
【００４６】
図５に例示する床化粧材１の場合、床化粧材本体１１は、天面側に設けられているタイル様の表層部１６と、脚部１２が垂設された基板部１７とが一体に組み付けられて形成されている。基板部１７には、底面側に貫通する嵌入穴１５が複数個設けられている。各嵌入穴１５は、矩形状に穿設されており、内側に段部１５１が形成されている。
【００４７】
これに対し、重量物１３は、帯状ブロック体に形成されて、ちょうど基板部１７の脚部１２同士の間に嵌め込むことが可能なようになっている。また重量物１３の天面には、複数の取付凸部１３１が立設されている。取付凸部１３１は、床化粧材本体１１の嵌入穴１５に対応させた個数および配置で形成されており、先端部に係止片１３２が設けられている。
【００４８】
この取付凸部１３１の係止片１３２は、床化粧材本体１１に設けられた嵌入穴１５の段部１５１に係止するように形成されており、例示の形態では、側面視略台形状に突設されている。そして、かかる重量物１３の係止片１３２が、基板部１７の嵌入穴１５に嵌入されて段部１５１に係止し、重量物１３が床化粧材本体１１に添設される構成となっている。
【００４９】
また、重量物１３は、図６に示すように、床化粧材本体１１の脚部１２を嵌挿しうる取付穴１４が配設されて、かつ、天面側に取付凸部１３１が立設された形態であってもよい。すなわち、図５に例示した床化粧材１の重量物１３と比較して、この重量物１３は幅方向に拡大されて形成されており、その重量を増すことが可能となっている。これらの取付凸部１３１にも係止片１３２が突設されている。この場合も前記と同様に、重量物１３の取付凸部１３１を床化粧材本体１１の裏面の嵌入穴１５に嵌挿して、係止片１３２を段部１５１に係止させて固定される構成である。
【００５０】
かかる床化粧材１の重量物１３に関しても、複数枚の床化粧材１が敷き詰められた床面の少なくとも周縁部に位置する床化粧材本体１１に対して添設されることが好ましい。これにより、周縁部から床化粧材本体１１の下部空間に吹き込まれる風の影響を、重量物１３によって抑えることができ、吹き上がり現象を防止することが可能になる。また、取付凸部１３１が重量物１３に形成されていることにより、床化粧材本体１１への装着および取り外しが容易であり、施工性も良好なものとすることができる。
【実施例３】
【００５１】
次に、本発明に係る床化粧材の実施例３について図面を参照しつつ説明する。図７は本発明の実施例３に係る床化粧材を示す斜視図、図８は図７の床化粧材の変形例を示す斜視図である。
【００５２】
この形態の床化粧材１は、重量物１３に立設されている取付凸部１３１は、２本が対になって形成されている。図７に示すように、取付凸部１３１は帯状ブロック体に形成された重量物１３の天面において側縁部に立設されており、一対の取付凸部１３１に対してそれぞれ外向きの係止片１３２が突設されている。
【００５３】
このような対をなす取付凸部１３１は、床化粧材本体１１の嵌入穴１５に嵌挿されて、嵌入穴１５の内側に形成されている段部１５１にそれぞれの係止片１３２が係止して固定されるようになっている。
【００５４】
また、重量物１３は、図８に示すように、床化粧材本体１１の脚部１２を嵌挿しうる取付穴１４が配設されて、かつ、天面側に一対の取付凸部１３１が複数箇所に立設された形態であってもよい。この場合も前記と同様に、一対の取付凸部１３１を床化粧材本体１１の裏面の嵌入穴１５に嵌挿して、係止片１３２を段部１５１にそれぞれ係止させて重量物１３を床化粧材本体１１に固定する構成である。
【００５５】
これにより、床化粧材１は、周縁部から床化粧材本体１１の下部空間に吹き込まれる風の影響を、重量物１３によって抑えることができ、吹き上がり現象を防止することが可能になる。また、取付凸部１３１が重量物１３に形成されていることにより、床化粧材本体１１への装着および取り外しが容易であり、施工性も良好なものとすることができる。
【実施例４】
【００５６】
次に、本発明に係る床化粧材の実施例４について図面を参照しつつ説明する。図９は本発明の実施例４に係る床化粧材を示す斜視図、図１０，１１はそれぞれ図９の床化粧材の変形例を示す斜視図である。
【００５７】
この形態の床化粧材１は、複数枚が配設されることにより構成される床の周縁部に配置される床化粧材本体１１の側面部に、嵩比重の高い重量物１３が添設されている。床化粧材本体１１は、前記実施例１〜３に示した構成と同様に脚部を有するもの、あるいは脚部のないブロック状のものなど、どのような形態の床化粧材本体１１であってもよい。
【００５８】
重量物１３は、合成樹脂製のカバー部材１８に備えられている。カバー部材１８は、床化粧材本体１１の側面部に装着される装着部１９と、この装着部１９の外周に設けられた収納部２０を有する。
【００５９】
図示するように、装着部１９は、断面形状が略コ字形で形成されて内側に床化粧材本体１１を嵌め込み可能となされている。この装着部１９の天面側は、床化粧材本体１１により形成される床面の周縁部に被さる庇部１９１として延設されている。
【００６０】
また、装着部１９の底面側は、床化粧材本体１１の下部に敷設しうるように、庇部１９１よりも前方へ延設されて下敷部１９２となされている。例示するように、この下敷部１９２は庇部１９１と同等の長さでも良いが、複数枚の床化粧材本体１１に対して敷設されることが好ましく、下敷部１９２の延設方向に少なくとも２枚の床化粧材本体１１を配設しうる大きさで、床化粧材本体１１の下部に敷設されうる平板状に形成されている。
【００６１】
これにより、カバー部材１８の装着部１９は、下敷部１９２に作用する床化粧材本体１１の自重によって押さえられて装着状態が維持され、さらに、庇部１９１が床化粧材本体１１の浮き上がりを防止することができるようになっている。
【００６２】
また、収納部２０は装着部１９の外側面に沿う中空部として形成されている。この収納部２０には、重量物１３が収納されている。重量物１３は、図９に例示するように棒状体で形成された嵩比重の高い無機質ブロック体あるいは無機質充填材をセメントや石膏または合成樹脂で固めた複合成形体が、収納部２０に挿入される。なお、重量物１３は、嵩比重が高く、収納部２０に納まる形状であれば、どのような形状のものであってもよく、例えば物干し竿を収納するようにしてもよい。また、パッキングされて収納部２０に収納可能な状態とされた砂、砂利や金属片または金属粉の袋体であってもよい。
【００６３】
これにより、カバー部材１８を介して床化粧材本体１１に重量物１３を添設することができ、風の影響におる吹き上がり現象を防止することが可能となっている。
【００６４】
また、図１０，１１に例示する床化粧材１では、カバー部材１８の収納部２０が、装着部１９の外側面に沿って、天面側が開口した溝状に形成されている。
【００６５】
図１０の床化粧材１の場合は、溝状の収納部２０に対して、収納部２０の天面側を被覆する蓋部材２１が備えられている。収納部２０には内側面に掛止部２０１が突設されている。また、蓋部材２１は延設された庇部２１１を有し、収納部２０の掛止部２０１に掛止する突片２１２が垂設されている。これにより、収納部２０に重量物１３を納めて、蓋部材２１によって閉止して床化粧材１の吹き上がり現象を抑えることができるようになっている。また、収納部２０に延設されて床化粧材本体１１の下部に敷設される下敷部２２が形成されている。
【００６６】
また、図１１に示すように、溝状の収納部２０の開口した側面が蓋部材２１によって閉止される構成であってもよく、天面側が開口した収納部２０に対して上方から重量物１３を納め、側方への流出を抑えるように構成されている。従って、この場合には特に砂、砂利や金属片または金属粉等をパッキングする必要が無い。
【００６７】
したがって、床化粧材本体１１に添設される重量物１３の形態および材質等によって、カバー部材１８の収納部２０の形態が適宜選択されることが好ましい。
【００６８】
また、図９、１０および１１において、庇部または下敷部のどちらか一方がない略Ｌ字形であってもかまわない。
【００６９】
また、収容部２０の底面および下敷部１９２および２２には雨等の水を排出する孔を適宜設けてもよい。
【００７０】
このような構成のカバー部材１８を床化粧材本体１１に備えた床化粧材１により、重量物１３を容易に添設することができ、装着および取り外しも簡単に行うことができ、床化粧材１を敷設することによって形成した床面を、風の影響を最小限に抑えて床化粧材１が捲れ上がるのを防ぎ、安定的に保持しつつ、安全性および意匠性に優れたものとすることができる。
【実施例５】
【００７１】
次に、本発明に係る床化粧材の実施例５について図面を参照しつつ説明する。図１２〜図１６は本発明の実施例５に係る床化粧材のカバー部材をそれぞれ示す斜視図である。なお、この形態に係る床化粧材は、特にカバー部材に特徴を有するので、カバー部材について詳細に説明し、床化粧材のその他の構成要素については前記実施例と同様の符号を用いることにより説明を省略する。
【００７２】
この実施例の床化粧材１は、図１に示したように、床化粧材本体１１の裏面側に複数本の脚部１２が一体的に備えられたものについて適用することができるものである。また、重量物１３は、合成樹脂製のカバー部材１８に備えられる。カバー部材１８は、図面では簡略化して示しているが、前記実施例４と同様に、床化粧材本体１１の側面部に装着される装着部１９と、この装着部１９の外周に収納部２０を有することが好ましい。
【００７３】
図１２、１３に示すように、装着部１９の底面側には、床化粧材本体１１の下部に敷設しうるように、床化粧材本体１１の側面部に沿わせた収納部２０（装着部１９）の配設方向に対して直交する方向（図１２における矢符Ａ方向）に下敷部１９２が延設されている。この場合、下敷部１９２は、その一部分が下敷部１９２の延設方向に延びた細長の帯板状に形成されている。
【００７４】
下敷部１９２は、その延設方向に少なくとも２枚の床化粧材本体１１を配設しうる長さで形成されている。また、下敷部１９２の幅は、床化粧材本体１１に設けられた脚部１２と脚部１２との間に挿入しうる幅、すなわち隣接する脚部１２の間隔と同等かやや小さい幅で形成されている。
【００７５】
これにより、カバー部材１８の装着部１９は、床化粧材本体１１の脚部１２間に保持されて装着状態が維持される。さらに、図１３に係る形態においては、庇部１９１が床化粧材本体１１の浮き上がりを防止することができるようになっている。
【００７６】
かかる下敷部１９２には、図１４に示すように、下敷部１９２の延設方向と直交する方向に延びる係止部１９３が設けられていてもよい。この係止部１９３は、下敷部１９２の長さに比して短く形成されている。このような係止部１９３を有することにより、下敷部１９２が床化粧材本体１１の脚部１２間に配置されたとき、さらに係止部１９３も下敷部１９２と直交する方向において脚部１２間に保持されて、カバー部材１８の位置ずれや抜けを防止して良好な装着状態を維持することができるようになる。すなわち、この下敷部１９２と係止部１９３の交差部の周囲に４本の脚部１２…１２が位置することで、カバー部材１８が床化粧材本体１１に対して固定される。
【００７７】
また、図１５に示すように、下敷部１９２に脚部１２を固定する複数の固定孔１９４…１９４が設けられていてもよい。これらの固定孔１９４…１９４は、床化粧材本体１１の脚部１２の配置形態および脚部１２の断面形状に対応させて形成されており、例示の形態では、略円柱状の脚部１２に対して円形状の固定孔（固定部）１９４が、脚部１２の配置間隔に合わせた均等間隔で下敷部１９２に穿設されている。これにより、カバー部材１８を床化粧材本体１１の側面部に沿って配置するとき、下敷部１９２を床化粧材本体１１の下部に敷設するとともに、脚部１２…１２を固定孔１９４…１９４に嵌挿させて、両者を一体化させて固定することが可能になる。また、下敷部１９２は複数本設けられてもよい。
【００７８】
このように脚部１２に下敷部１９２を固定する手段としては、図１６に例示するように、棒状（溝形状）に形成した下敷部１９２に、複数の仕切板１９５…１９５を配設して、固定部１９６を形成する方法もある。この場合、下敷部１９２において、仕切板１９５と仕切板１９５との間に形成された固定部１９６に、床化粧材本体１１の脚部１２…１２をそれぞれ納めて保持することにより、カバー部材１８の位置ずれや抜けを防止し、良好な装着状態を維持することができる。
【００７９】
このように、カバー部材１８の下敷部１９２に、床化粧材本体１１に対してカバー部材１８を固定するための種々の固定手段を設けることで、より一層安定した設置状態を維持することができ、床化粧材本体１１の浮き上がりを長期的かつ効果的に防止することができる。そして、床化粧材１を敷設することによって形成した床面を、風の影響を最小限に抑えて床化粧材１が捲れ上がるのを防ぎ、安定的に保持しつつ、安全性および意匠性に優れたものとすることができる。
【産業上の利用可能性】
【００８０】
本発明は、住宅等の建物におけるバルコニーやベランダ等の風の影響を受けやすい床面に敷設して好適に使用することができる。
【図面の簡単な説明】
【００８１】
【図１】本発明に係る床化粧材の実施例１を示す斜視図である。
【図２】図１の床化粧材において床化粧材本体に重量物を添設した状態を示す斜視図である。
【図３】実施例１の床化粧材の変形例を示す斜視図である。
【図４】図３の床化粧材において床化粧材本体に重量物を添設した状態を示す斜視図である。
【図５】本発明に係る床化粧材の実施例２示す斜視図である。
【図６】実施例２の床化粧材の変形例を示す斜視図である。
【図７】本発明に係る床化粧材の実施例３示す斜視図である。
【図８】実施例３の床化粧材の変形例を示す斜視図である。
【図９】本発明に係る床化粧材の実施例４を示す斜視図である。
【図１０】実施例４の床化粧材の変形例を示す斜視図である。
【図１１】実施例４の床化粧材の変形例を示す斜視図である。
【図１２】本発明に係る床化粧材の実施例５におけるカバー部材を示す斜視図である。
【図１３】実施例５の床化粧材のカバー部材の変形例を示す斜視図である。
【図１４】実施例５の床化粧材のカバー部材の変形例を示す斜視図である。
【図１５】実施例５の床化粧材のカバー部材の変形例を示す斜視図である。
【図１６】実施例５の床化粧材のカバー部材の変形例を示す斜視図である。
【符号の説明】
【００８２】
１      床化粧材
１１    床化粧材本体
１２    脚部
１３    重量物
１３１  取付凸部
１３２  係止片
１４    取付穴
１５    嵌入穴
１５１  段部
１６    表層部
１７    基板部
１８    カバー部材
１９    装着部
１９１  庇部
１９２  下敷部
２０    収納部
２１    蓋部材
【図１】
2008190313.tif 000003
【図２】
2008190313.tif 000004
【図３】
2008190313.tif 000005
【図４】
2008190313.tif 000006
【図５】
2008190313.tif 000007
【図６】
2008190313.tif 000008
【図７】
2008190313.tif 000009
【図８】
2008190313.tif 000010
【図９】
2008190313.tif 000011
【図１０】
2008190313.tif 000012
【図１１】
2008190313.tif 000013
【図１２】
2008190313.tif 000014
【図１３】
2008190313.tif 000015
【図１４】
2008190313.tif 000016
【図１５】
2008190313.tif 000017
【図１６】
2008190313.tif 000018